(57)【特許請求の範囲】
【請求項１】
ディジタル医用画像データに基づいて医用画像を表示する医用画像表示装置であって、
前記ディジタル医用画像データの処理を行うディジタル医用画像データ処理部と、
前記ディジタル医用画像データ処理部で処理された前記ディジタル医用画像データに基づいて、前記医用画像の画像平面内に含まれる回転軸、もしくは、画像平面外にあって前記画像平面に平行な回転軸の周りに前記医用画像を回転させ、回転前の画像平面に画像投影させて得た斜像を、縮小の割合が異なるそれぞれの領域で相対的な空間周波数が異なるように表示する画像表示部と、
を有することを特徴とする医用画像表示装置。
【請求項２】
前記医用画像を動的に表示する、
ことを特徴とする請求項１記載の医用画像表示装置。
【請求項３】
回転状態の異なる複数の画像を前記斜像として一画面内に表示する、
ことを特徴とする請求項１記載の医用画像表示装置。
【請求項４】
回転状態の異なる複数の画像を前記斜像として同一表示位置にて切り換え表示する、
ことを特徴とする請求項１記載の医用画像表示装置。
【請求項５】
最低濃度および最大濃度、ダイナミックレンジ、または画像のサイズのいずかをを一致させて、同一の被診断者に関する複数の医用画像を表示する、
ことを特徴とする請求項１乃至請求項４のいずれか一項に記載の医用画像表示装置。
【請求項６】
最低濃度および最大濃度、ダイナミックレンジ、または画像のサイズのいずかを一致させて、異なる被診断者に関する複数の医用画像を表示する、
ことを特徴とする請求項１乃至請求項４のいずれか一項に記載の医用画像表示装置。
【請求項７】
前記医用画像の輝度を段階的に、もしくは無段階に連続して変化させて表示する、
ことを特徴とする請求項１乃至請求項６のいずれか一項に記載の医用画像表示装置。
【請求項８】
前記医用画像の正像と反転像とを表示する、
ことを特徴とする請求項１記載の医用画像表示装置。
【請求項９】
前記医用画像の前記正像と前記反転像とを一画面内に表示する、
ことを特徴とする請求項８記載の医用画像表示装置。
【請求項１０】
前記医用画像の前記正像と前記反転像とを、同一表示位置にて切り換え表示する、
ことを特徴とする請求項８記載の医用画像表示装置。
【請求項１１】
前記医用画像を一定方向に所定の周期で振動させて表示する、
ことを特徴とする請求項１記載の医用画像表示装置。
【請求項１２】
操作部を有し、前記操作部の操作に基づいて前記医用画像を移動させて表示する、
ことを特徴とする請求項１記載の医用画像表示装置。
【請求項１３】
前記医用画像の斜像の表示または前記医用画像の反転像の表示の表示手法及び前記表示手法それぞれのパラメータを予め登録可能である、
ことを特徴とする請求項１記載の医用画像表示装置。
【請求項１４】
放射線を被診断者に照射して医用画像を撮影してディジタル医用画像データを得る放射線画像撮影装置を有する医用診断システムであって、
前記医用画像表示装置は、前記ディジタル医用画像データの処理を行うディジタル医用画像データ処理部と、
前記ディジタル医用画像データ処理部で処理された前記ディジタル医用画像データに基づいて前記医用画像の画像平面内に含まれる回転軸、もしくは、画像平面外にあって前記画像平面に平行な回転軸の周りに前記医用画像を回転させ、回転前の画像平面に画像投影させて得た斜像を、縮小の割合が異なるそれぞれの領域で相対的な空間周波数が異なるように表示する画像表示部と、を有する、
ことを特徴とする医用診断システム。
【請求項１５】
前記放射線画像撮影装置によって得られた複数の前記ディジタル医用画像データを保存する保存装置を有し、
前記医用画像表示装置は、前記保存装置から読み出された前記ディジタル医用画像データに基づいて前記医用画像を表示する、
ことを特徴とする請求項１４記載の医用診断システム。
【請求項１６】
医用画像を表示する医用画像表示方法であって、
医用画像の画像平面内に含まれる回転軸もしくは画像平面外にあって前記画像平面に平行な回転軸の周りに前記医用画像を回転させ、
回転前の画像平面に画像投影させて得た斜像の画像平面内に含まれる回転軸、もしくは、画像平面外にあって前記画像平面に平行な回転軸の周りに前記医用画像を回転させ、回転前の画像平面に画像投影させて得た斜像を、縮小の割合が異なるそれぞれの領域で相対的な空間周波数が異なるように表示させる、
ことを特徴とする医用画像表示方法。
【請求項１７】
前記医用画像の斜像を作成し表示する際に、前記斜像を作成するための回転を段階的もしくは無段階に連続して実行し、回転状態の異なる複数の画像を生成し、並べて表示する、
ことを特徴とする請求項１６記載の医用画像表示方法。
【請求項１８】
前記医用画像の斜像を作成し表示する際に、前記斜像を作成するための回転を段階的もしくは無段階に連続して実行して回転状態の異なる複数の画像を生成し、
この複数画像の一方を他方に対して表示／非表示の切換が可能に操作できる、
ことを特徴とする請求項１７記載の医用画像表示方法。
【請求項１９】
前記医用画像の斜像を作成し表示する際に、前記斜像を作成するための回転を段階的もしくは無段階に連続して実行して回転状態の異なる複数の画像を生成し、
前記複数の回転状態の異なる画像を同一表示位置にて切り換え表示する、
ことを特徴とする請求項１７記載の医用画像表示方法。
【請求項２０】
前記水平方向に並んだ画像を所定の周期で表示／非表示の切り換えまたは表示輝度の昇降を切り換えつつ表示する、
ことを特徴とする請求項１６乃至請求項１９のいずれかに記載の医用画像表示方法。
【請求項２１】
最低濃度および最高濃度、ダイナミックレンジ、または画像のサイズのいずれかを一致させて、同一の被診断者に関する複数の医用画像を表示する、
ことを特徴とする請求項１６乃至請求項２０のいずれか一項に記載の医用画像表示方法。
【請求項２２】
最低濃度および最大濃度、ダイナミックレンジ、または画像のサイズのいずかを一致させて、異なる被診断者に関する複数の医用画像を表示する、
ことを特徴とする請求項１６乃至請求項２０のいずれか一項に記載の医用画像表示方法。
【請求項２３】
前記医用画像の輝度を段階的に、もしくは無段階に連続して変化させて表示する、
ことを特徴とする請求項１６乃至請求項２２のいずれか一項に記載の医用画像表示方法。
【請求項２４】
前記医用画像の正像と反転像とを表示する、
ことを特徴とする請求項１６乃至請求項２３のいずれか一項に記載の医用画像表示方法。
【請求項２５】
前記医用画像の前記正像と前記反転像とを一画面内に表示する、
ことを特徴とする請求項１６乃至請求項２４のいずれか一項に記載の医用画像表示方法。
【請求項２６】
前記医用画像の前記正像と前記反転像とを、同一表示位置にて切り換え表示する、
ことを特徴とする請求項２５記載の医用画像表示方法。
【請求項２７】
前記医用画像を一定方向に所定の周期で振動させて表示する、
ことを特徴とする請求項１６乃至請求項２６のいずれか一項に記載の医用画像表示方法。
【請求項２８】
操作部を有し、前記操作部の操作に基づいて前記医用画像を移動させて表示する、
ことを特徴とする請求項１６乃至請求項２７のいずれか一項に記載の医用画像表示方法。
【請求項２９】
前記医用画像の斜像の表示または前記医用画像の反転像の表示の表示手法及び前記表示手法それぞれのパラメータを予め登録可能である、
ことを特徴とする請求項１６記載の医用画像表示方法。
【発明の詳細な説明】
【０００１】
【発明の属する技術分野】
本発明は医用画像を表示する医用画像表示方法および医用画像表示装置ならびに医用診断システムに関し、特に放射線画像の表示に適した医用画像表示方法および医用画像表示装置ならびに医用診断システムに関する。
【０００２】
【従来の技術】
従来、医師は、放射線画像を用いて診断（画像診断や読影とも言う）を行う際、主に、放射線画像が撮影されたフィルムを観察することにより、診断を行っていた。
【０００３】
【発明が解決しようとする課題】
しかし、放射線画像が撮影されたフィルムは、
▲１▼病院全体としては、そのフィルムの量が多量になるため、多くの保管場所が必要になるという問題、
▲２▼フィルムの劣化に伴う画像の変質が起きるという問題、
▲３▼医師が特定の患者の現在の画像と過去の画像とを比較して見たい場合に、過去の画像が記録されたフィルムを探すことが困難であるという問題、
などがあった。また、環境保護の観点からも、フィルムを減らすことが望まれている。
【０００４】
これらの問題を解決するために、放射線画像をディジタル化し、ディジタルデータとして保存しておき、所望の時に、所望の画像を迅速に探索できるシステムが構築されつつある。
【０００５】
これらのディジタル画像データは、ＣＲＴや液晶表示装置などのモニタに画像表示が行われ、医師はそのモニタに表示された画像を見て、診断する。しかし、放射線画像フィルムを用いて、診断を行った場合に比して、モニタによる診断の方が、患部を見落としやすかったり、逆に、健康な部位を患部としてみてしまうなどの誤認が生じやすいという、医療診察としては非常に重大な問題があることがわかった。
【０００６】
そこで、本発明者が鋭意研究を行った結果、以下のようなことがわかった。従来、放射線画像フィルムによる診察をしていた際は、医師はフィルムを回転させたり、水平方向に移動させるなどをして、医師の眼に入射する画像の空間周波数を変化させることで、無意識に最も自分が見やすい周波数によって、フィルムの画像を観察するというノウハウを持っていたため、患部を発見しやすかった。
【０００７】
それに対して、モニタに表示される放射線医療画像は、画像が回転することもなければ、移動することもない。したがって、一定の空間周波数下で画像を観察しなければならず、医師が最も診やすい空間周波数によって画像を観察することができなかったため、患部の微妙な変化を示す画像までもを、医師が認識することが困難であるため、患部が発見しにくかった、ということがわかったのである。本発明は、この知見に鑑みて、行われたものである。
【０００８】
また、放射線画像が撮影されたフィルムを用いる診断は、その観察の方法に、医師独自のノウハウがある。例えば、上述したように、フィルムを回転させたり、移動させたりする等のフィルムの見方や、経験を積んだ医師であれば、記憶の中の過去の自分が見た症例との類似で診断することができたりする。一方、新人や一般の経験の浅い医師等で過去の蓄積が少ない場合、フィルムの好ましい見方や、経験した症例の数が少ない等の理由によって、経験を積んだ医師に比して、患部を見落としやすいため、診断の信頼性の向上が望まれていた。つまり、その観察による診察の精度には、医師の経験が大きく依存する。したがって、放射線画像フィルムによる診断の場合は、医師によって診断の信頼性に優劣が生じるということが起きていた。
【０００９】
本発明は以上のような課題に鑑みてなされたものである。その目的は、保管場所を非常に少なくできる、画像の劣化を防止できるなどの、医療用放射線画像をディジタルデータとして扱うメリットを残しつつ、しかも、モニタによる表示であっても、フィルムを観察するのと同様に患部の認識をしやすい、医用画像表示装置および医用診断システムならびに医用画像表示方法を提供することである。
【００１０】
さらに、従来、医師の経験に頼っていたノウハウを共有化することを可能とし、医師の経験によらず、より均一な高精度の診察を行うことを可能とする医用画像表示装置および医用診断システムならびに医用画像表示方法を提供することを目的とする。つまり、この発明を用いることによって、新人や一般の経験の浅い医師等であっても、高精度の診察を行うことが可能とすることを目的とする。
【００１１】
【課題を解決するための手段】
上記課題を解決する本発明は以下に示すものである。
（１）請求項１記載の発明は、ディジタル医用画像データに基づいて医用画像を表示する医用画像表示装置であって、前記ディジタル医用画像データの処理を行うディジタル医用画像データ処理部と、前記ディジタル医用画像データ処理部で処理された前記ディジタル医用画像データに基づいて、前記医用画像の画像平面内に含まれる回転軸、もしくは、画像平面外にあって前記画像平面に平行な回転軸の周りに前記医用画像を回転させ、回転前の画像平面に画像投影させて得た斜像をの画像平面内に含まれる回転軸、もしくは、画像平面外にあって前記画像平面に平行な回転軸の周りに前記医用画像を回転させ、回転前の画像平面に画像投影させて得た斜像表示する画像表示部と、を有することを特徴とする医用画像表示装置である。
【００１２】
この発明では、画像の保管場所を非常に少なくできる、画像の劣化を防止できるなどの、医療用放射線画像をディジタルデータとして扱うメリットを残しつつ、しかも、モニタによる表示であっても、フィルムを観察するのと同様に患部の認識をしやすい状態を提供することができる。
【００１３】
（２）請求項２記載の発明は、前記医用画像を動的に表示する、ことを特徴とする請求項１記載の医用画像表示装置である。
この発明では、医用画像を動的に表示することで、モニタによる表示であっても、フィルムを観察するのと同様に患部の認識をしやすい状態を提供することができる。
【００１５】
また、以上の発明では、医用画像の画像平面内に含まれる回転軸もしくは画像平面外にあって前記画像平面に平行な回転軸の周りに前記医用画像を回転させ、回転前の画像平面に画像投影させることで、斜像として見られるようになり、フィルムによって医用画像を観察していたのに近い状態でディスプレイ上に表示することが可能になる。
【００１６】
（３）請求項３記載の発明は、回転状態の異なる複数の画像を前記斜像として一画面内に表示する、ことを特徴とする請求項１記載の医用画像表示装置である。
【００１７】
この発明では、斜像を表示する際に、回転状態の異なる複数の斜像を同一画面内で表示でき、フィルムによって医用画像を観察していたのに近い状態でディスプレイ上に表示することが可能になる。
【００１８】
（４）請求項４記載の発明は、回転状態の異なる複数の画像を前記斜像として同一表示位置にて切り換え表示する、ことを特徴とする請求項１記載の医用画像表示装置である。
【００１９】
この発明では、斜像を表示する際に、回転状態の異なる複数の斜像を同一表示位置で切り換えて表示でき、フィルムによって医用画像を観察していたのに近い状態でディスプレイ上に表示することが可能になる。
【００３０】
（５）請求項５記載の発明は、最低濃度および最大濃度、ダイナミックレンジ、または画像のサイズのいずかを一致させて、同一の被診断者に関する複数の医用画像を表示する、ことを特徴とする請求項１乃至請求項４のいずれか一項に記載の医用画像表示装置である。
【００３１】
この発明では、表示すべき医用画像を、複数の医用画像の濃度やダイナミックレンジに合わせて表示するようにしているため、各種の状況を把握しやすくなり、フィルムによって多数の医用画像を並べて観察していたのに近い状態でディスプレイ上に表示することが可能になる。
【００３６】
（６）請求項６記載の発明は、最低濃度および最大濃度、ダイナミックレンジ、または画像のサイズのいずかを一致させて、異なる被診断者に関する複数の医用画像を表示する、ことを特徴とする請求項１乃至請求項４のいずれか一項に記載の医用画像表示装置である。
【００３７】
この発明では、表示すべき医用画像を、複数の医用画像の濃度やダイナミックレンジに合わせて表示するようにしているため、各種の状況を把握しやすくなり、フィルムによって多数の医用画像を並べて観察していたのに近い状態でディスプレイ上に表示することが可能になる。
【００３８】
（７）請求項７記載の発明は、前記医用画像の輝度を段階的に、もしくは無段階に連続して変化させて表示する、ことを特徴とする請求項１乃至請求項６のいずれか一項に記載の医用画像表示装置である。
【００３９】
この発明では、表示の際の輝度を段階的もしくは無段階に連続して変化させて表示しているため、フィルムによって医用画像を観察していたのに近い状態でディスプレイ上に表示することが可能になる。
【００４０】
（８）請求項８記載の発明は、前記医用画像の正像と反転像とを表示する、ことを特徴とする請求項１記載の医用画像表示装置である。この発明では、表示すべき医用画像の正像と反転像とを表示するようにしているため、表示画面の表示が原因で病変部を見逃すようなことがなくなり、各種の状況を把握しやすくなり、フィルムによって多数の医用画像を並べて観察していたのに近い状態でディスプレイ上に表示することが可能になる。
【００４１】
（９）請求項９記載の発明は、前記医用画像の前記正像と前記反転像とを一画面内に表示する、ことを特徴とする請求項８記載の医用画像表示装置である。
【００４２】
この発明では、表示すべき医用画像の正像と反転像とを同一画面で表示するようにしているため、表示画面の表示が原因で病変部を見逃すようなことがなくなり、各種の状況を把握しやすくなり、フィルムによって多数の医用画像を並べて観察していたのに近い状態でディスプレイ上に表示することが可能になる。
【００４３】
（１０）請求項１０記載の発明は、前記医用画像の前記正像と前記反転像とを、同一表示位置にて切り換え表示する、ことを特徴とする請求項８記載の医用画像表示装置である。
【００４４】
この発明では、表示すべき医用画像の正像と反転像とを同一表示位置で表示するようにしているため、表示画面の表示が原因で病変部を見逃すようなことがなくなり、各種の状況を把握しやすくなり、フィルムによって多数の医用画像を並べて観察していたのに近い状態でディスプレイ上に表示することが可能になる。
【００５０】
（１１）請求項１１記載の発明は、前記医用画像を一定方向に所定の周期で振動させて表示する、ことを特徴とする請求項１記載の医用画像表示装置である。
この発明では、医用画像を一定方向に所定の周期で振動（往復動）させて表示することにより、視覚の残像効果などによって各種の状況（病変部など）を把握しやすくなり、フィルムによって医用画像を観察していたのに近い状態でディスプレイ上に表示することが可能になる。
【００５１】
（１２）請求項１２記載の発明は、操作部を有し、前記操作部の操作に基づいて前記医用画像を移動させて表示する、ことを特徴とする請求項１記載の医用画像表示装置である。
【００５２】
この発明では、医用画像を移動させて表示することにより、視覚の残像効果などによって各種の状況（病変部など）を把握しやすくなり、フィルムによって医用画像を観察していたのに近い状態でディスプレイ上に表示することが可能になる。
【００５３】
（１３）請求項１３記載の発明は、前記医用画像の斜像の表示または前記医用画像の反転像の表示の表示手法及び前記表示手法それぞれのパラメータを予め登録可能である、ことを特徴とする請求項１記載の医用画像表示装置である。
（１４）請求項１４記載の発明は、放射線を被診断者に照射して医用画像を撮影してディジタル医用画像データを得る放射線画像撮影装置を有する医用診断システムであって、前記医用画像表示装置は、前記ディジタル医用画像データの処理を行うディジタル医用画像データ処理部と、前記ディジタル医用画像データ処理部で処理された前記ディジタル医用画像データに基づいて前記医用画像の画像平面内に含まれる回転軸、もしくは、画像平面外にあって前記画像平面に平行な回転軸の周りに前記医用画像を回転させ、回転前の画像平面に画像投影させて得た斜像を、縮小の割合が異なるそれぞれの領域で相対的な空間周波数が異なるように表示する画像表示部と、を有する、ことを特徴とする医用診断システムである。
【００５４】
この発明では、放射線画像撮影装置を有する医用診断システムにおいて、画像の処理と表示とを行うことができ、医療用放射線画像をディジタルデータとして扱うメリットを残しつつ、しかも、モニタによる表示であっても、フィルムを観察するのと同様に患部の認識をしやすい医用診断システムを提供できる。
【００５５】
（１５）請求項１５記載の発明は、前記放射線画像撮影装置によって得られた複数の前記ディジタル医用画像データを保存する保存装置を有し、前記医用画像表示装置は、前記保存装置から読み出された前記ディジタル医用画像データに基づいて前記医用画像を表示する、ことを特徴とする請求項１４記載の医用診断システムである。
【００５６】
この発明では、放射線画像撮影装置を有する医用診断システムにおいて、保存画像について処理や表示が可能になり、医療用放射線画像をディジタルデータとして扱うメリットを残しつつ、しかも、モニタによる表示であっても、フィルムを観察するのと同様に患部の認識をしやすい医用診断システムを提供できる。
【００５７】
（１６）請求項１６記載の発明は、医用画像を表示する医用画像表示方法であって、医用画像の画像平面内に含まれる回転軸もしくは画像平面外にあって前記画像平面に平行な回転軸の周りに前記医用画像を回転させ、回転前の画像平面に画像投影させて得た斜像の画像平面内に含まれる回転軸、もしくは、画像平面外にあって前記画像平面に平行な回転軸の周りに前記医用画像を回転させ、回転前の画像平面に画像投影させて得た斜像を、縮小の割合が異なるそれぞれの領域で相対的な空間周波数が異なるように表示させる、ことを特徴とする医用画像表示方法である。
【００５８】
この発明では、医用画像の画像平面内に含まれる回転軸もしくは画像平面外にあって前記画像平面に平行な回転軸の周りに前記医用画像を回転させ、回転前の画像平面に画像投影させることで、斜像として見られるようになり、フィルムによって医用画像を観察していたのに近い状態でディスプレイ上に表示することが可能になる。
【００５９】
（１７）請求項１７記載の発明は、前記医用画像の斜像を作成し表示する際に、前記斜像を作成するための回転を段階的もしくは無段階に連続して実行し、回転状態の異なる複数の画像を生成し、並べて表示する、ことを特徴とする請求項１６記載の医用画像表示方法である。
【００６０】
この発明では、斜像を作成するための回転を段階的もしくは無段階に連続して実行し、複数の画像を生成しているため、回転状態の異なる複数の斜像を並べて表示でき、フィルムによって医用画像を観察していたのに近い状態でディスプレイ上に表示することが可能になる。この場合、回転状態の異なる複数の斜像が表示されているので、すぐ脇の見る方向が少し異なる斜像と一瞬で比較でき、頭の中でフィルムの感覚を得ることができる。
【００６１】
（１８）請求項１８記載の発明は、前記医用画像の斜像を作成し表示する際に、斜像を作成するための回転を段階的もしくは無段階に連続して実行して回転状態の異なる複数の画像を生成し、この複数画像の一方を他方に対して表示／非表示の切換が可能に操作できる、ことを特徴とする請求項１７記載の医用画像表示方法である。
【００６２】
この発明では、斜像を作成するための回転を段階的もしくは無段階に連続して実行して回転状態の異なる複数の画像を生成し、この複数画像の一方を他方に対して表示／非表示の切換えているため、フィルムによって医用画像を観察していたのに近い状態でディスプレイ上に表示することが可能になる。この場合、若干異なる方向から見たフィルムの画像を傾け方を変化させた如く頭の中で感じることができる。
【００６３】
（１９）請求項１９記載の発明は、前記医用画像の斜像を作成し表示する際に、前記斜像を作成するための回転を段階的もしくは無段階に連続して実行して回転状態の異なる複数の画像を生成し、生成された複数の回転状態の異なる画像を同一表示位置にて切り換え表示する、ことを特徴とする請求項１７記載の医用画像表示方法である。
【００６４】
この発明では、斜像を作成するための回転を段階的もしくは無段階に連続して実行して回転状態の異なる複数の画像を生成し、生成された複数の回転状態の異なる画像を同一表示位置にて切り換え表示しているため、フィルムによって医用画像を観察していたのに近い状態でディスプレイ上に表示することが可能になる。この場合、若干異なる方向から見たフィルムの画像を一瞬で入れ替えた如く頭の中で感じることができる。
【００６７】
（２０）請求項２０記載の発明は、前記水平方向に並んだ画像を所定の周期で表示／非表示の切り換えまたは表示輝度の昇降を切り換えつつ表示する、ことを特徴とする請求項１６乃至請求項１９のいずれかに記載の医用画像表示方法である。
【００６８】
この発明では、画像を所定の周期で表示／非表示の切り換えまたは表示輝度の昇降を切り換えつつ表示しているため、視覚の残像効果によって各種の状況を把握しやすくなり、フィルムによって医用画像を観察していたのに近い状態でディスプレイ上に表示することが可能になる。
【００６９】
（２１）請求項２１記載の発明は、最低濃度および最高濃度、ダイナミックレンジ、または画像のサイズのいずれかを一致させて、同一の被診断者に関する複数の医用画像を表示する、ことを特徴とする請求項１６乃至請求項２０のいずれか一項に記載の医用画像表示方法である。
【００７０】
（２２）請求項２２記載の発明は、最低濃度および最大濃度、ダイナミックレンジ、または画像のサイズのいずかを一致させて、異なる被診断者に関する複数の医用画像を表示する、ことを特徴とする請求項１６乃至請求項２０のいずれか一項に記載の医用画像表示方法である。
【００７１】
（２３）請求項２３記載の発明は、前記医用画像の輝度を段階的に、もしくは無段階に連続して変化させて表示する、ことを特徴とする請求項１６乃至請求項２２のいずれか一項に記載の医用画像表示方法である。
【００７２】
（２４）請求項２４記載の発明は、前記医用画像の正像と反転像とを表示する、ことを特徴とする請求項１６乃至請求項２３のいずれか一項に記載の医用画像表示方法である。
【００７３】
（２５）請求項２５記載の発明は、前記医用画像の前記正像と前記反転像とを一画面内に表示する、ことを特徴とする請求項１６乃至請求項２４のいずれか一項に記載の医用画像表示方法である。
【００７４】
（２６）請求項２６記載の発明は、前記医用画像の前記正像と前記反転像とを、同一表示位置にて切り換え表示する、ことを特徴とする請求項２５記載の医用画像表示方法である。
【００７５】
（２７）請求項２７記載の発明は、前記医用画像を一定方向に所定の周期で振動させて表示する、ことを特徴とする請求項１６乃至請求項２６のいずれか一項に記載の医用画像表示方法である。
【００７６】
（２８）請求項２８記載の発明は、操作部を有し、前記操作部の操作に基づいて前記医用画像を移動させて表示する、ことを特徴とする請求項１６乃至請求項２７のいずれか一項に記載の医用画像表示方法である。
【００７７】
（２９）請求項２９記載の発明は、前記医用画像の斜像の表示または前記医用画像の反転像の表示の表示手法及び前記表示手法それぞれのパラメータを予め登録可能である、ことを特徴とする請求項１６記載の医用画像表示方法である。
【００８０】
【発明の実施の形態】
本発明の医用画像表示装置は、ディジタル医用画像データに基づいて医用画像を表示する装置であり、ディジタル医用画像データの処理を行うディジタル医用画像データ処理部（後述する説明における画像処理部）と、ディジタル医用画像データ処理部で処理されたディジタル医用画像データに基づいて、医用画像を表示する画像表示部とを有する。また、表示モードを変更したり、医用画像の表示状態を変えるための入力を行うためのキーボードや、各種ボタンや、レバーなどの操作部を有していてもよい。
【００８１】
請求項におけるディジタル医用画像データ処理部において、後述する医用画像の回転表示、反転表示、複数画像表示等の動的な表示や、静的な表示を行うためのディジタル医用画像データの処理が行われる。また、ディジタル医用画像データ処理部は、濃度、ダイナミックレンジ、画像サイズの調整も行うことが好ましい。ディジタル医用画像データ処理部の具体例としては、ＣＰＵ、ＬＳＩ、ＩＣなどが挙げられる。もちろん、ソフトウェアによって制御されていてもよい。
【００８２】
また、画像表示部の具体例としては、ＣＲＴモニタや、液晶表示装置、有機ＥＬディスプレイ、プラズマディスプレイ等が挙げられる。
また、医用画像表示装置は、医用画像データを保存する保存部を有していてもよい。保存部の具体例としては、メモリ、ハードディスク、各種ＲＡＭ（ＤＲＡＭ、ＳＤＲＡＭ、フラッシュメモリ、ミニチュアカード、コンパクトフラッシュ、スマートメディア、ＰＣカード等を含む）、各種ＲＯＭ（マスクＲＯＭ、ＥＰＲＯＭ、ＥＥＰＲＯＭ等含む）、ＣＤ−ＲＯＭ、ＣＤ−ＲＷ、ＣＤ−Ｒ、ＭＴ、ＤＡＴ、ＦＤ、ＭＤ、ＭＯ、ＤＶＤ等のディジタル情報記録媒体、及びその記録再生装置等を挙げることができる。また、医用画像表示装置が保存部を有しておらず、後述する医用診断システムが、保存装置を有していてもよい。もちろん、医用画像表示装置が保存部を有し、さらに診断システムとして別の保存装置を有していてもよい。
【００８３】
医用画像表示装置は、医用画像を動的に表示することも可能であるし、静的に表示することも可能である。なお、ここでいう、「医用画像を動的に表示する」とは、医用画像を、連続的に変化させて表示することを意味する。たとえば、後述する回転表示の場合は、段階的、もしくは無段階に、連続して回転させて表示することをいう。
【００８４】
医用画像表示装置は、医用画像の画像平面内に含まれる回転軸、もしくは画像平面外にあって画像平面に平行な回転軸の周りに、医用画像を回転させ、回転前の画像平面に画像投影させて得た斜像を表示できることが好ましい。なお、動的に回転させた医用画像、すなわち、段階的、もしくは無段階的に、連続させて回転させた医用画像を表示させてもいいし、ある回転角度の医用画像を静的に表示するようにしてもよい。
【００８５】
また、医用画像表示装置は、回転状態の異なる複数の斜像を、一画面内に表示するようにしてもよい。この場合、複数の斜像を横方向に並べて表示することが好ましい。また、この複数の斜像は、同一のディジタル医用画像データに基づいた画像であつて、回転状態のみが異なる画像であることが好ましい。また、これらの複数の斜像を、それぞれ動的に表示してもよいし、静的に表示してもよい。
【００８６】
また、医用画像表示装置は、回転状態の異なる複数の斜像を、同一表示位置にて切り換え表示するようにしてもよい。
また、医用画像表示装置は、医用画像を一定方向に所定の周期で振動（往復道）させて表示するようにしてもよい。また、自動的に一定方向に所定の周期で振動させるのではなく、オペレータ（診断者）が動かしたレバーやマウスなどの操作部の動きに基づいて、医用画像を動かすようにしてもよい。
【００８７】
また、医用画像表示装置は、医用画像の輝度を変化させて表示できることが好ましい。同一表示位置に置いて、医用画像の輝度を段階的に、もしくは無投階に連続して変化させて、動的に表示することが好ましいが、同一医用画像データに基づいて、輝度を異ならせた複数の画像を、静的に同一画面内に表示してもよい。
【００８８】
また、医用画像表示装置は、医用画像の正像と反転像とを表示できることが好ましい。医用画像の正像と、反転像とを、一画面内に表示するようにしてもよいし、医用画像の正像と、反転像とを、同一表示位置にて切り換え表示してもよい。また、この正像と反転像の表示は、前述した回転表示の１形態と見なすこともできる。
【００８９】
また、医用画像表示装置は、同一の被診断者に関する複数の医用画像を表示できることが好ましい。なお、同一の被診断者に関する複数の医用画像を、一画面内に表示するようにしてもよい。この場合、複数の医用画像のそれぞれを、回転、反転、輝度変化などにおいて、動的に表示してもよいし、静的に表示してもよい。また、同一の被診断者の複数の医用画像を、同一表示位置にて切り換え表示するようにしてもよい。この場合、自動的に連続して切り替え表示されることが好ましい。
【００９０】
なお、同一の被診断者に関する複数の医用画像を表示する場合、同一の被診断者の、同一の部位における、撮影角度の異なる、複数の医用画像を表示するようにしてもよい。例えば、同一の被診断者の胸部を真正面から撮影した場合の画像と、少し斜めから撮影した場合の画像とを表示する場合である。なお、ここでいう「部位」とは、足部、胸部、腹部などの、体の部分をいう。また、この場合、表示される複数の医用画像は、互いの撮影時期が、同日など、近いことが好ましい。また、撮影角度は、４５°以内のように、わずかに角度を変えた場合であってもよいし、４５°以上の様に、大きく角度を変えた場合であってもよい。
【００９１】
また、同一の被診断者に関する複数の医用画像を表示する場合、同一の被診断者の、同一の部位における、撮影時期の異なる、複数の医用画像を表示するようにしてもよい。例えば、同一の被診断者の胸部を真正面から、１年前に撮影した場合の画像と、現在撮影した場合の画像とを表示する場合である。なお、複数の画像の撮影角度の違いは、３０度以内であることが好ましく、より好ましくは、複数の画像の撮影角度が同一であることである。
【００９２】
また、同一の被診断者に関する複数の医用画像を表示する場合、同一の被診断者の、異なる部位における、複数の医用画像を表示するようにしてもよい。この場合、複数の画像の互いの撮影時期は、同日など、近い方が好ましい。
【００９３】
また、医用画像表示装置は、異なる被診断者に関する複数の医用画像を表示できることが好ましい。なお、異なる被診断者に関する複数の医用画像を、一画面内に表示するようにしてもよい。この場合、複数の医用画像のそれぞれを、回転、反転、輝度変化などにおいて、動的に表示してもよいし、静的に表示してもよい。また、異なる被診断者の複数の医用画像を、同一表示位置にて切り換え表示するようにしてもよい。この場合、自動的に連続して切り替え表示されることが好ましい。
【００９４】
なお、同一の被診断者に関する複数の医用画像を表示する場合、及び、異なる被診断者に関する複数の医用画像を表示する場合、同一の被診断者の複数の医用画像の、最低濃度及び最大濃度、ダイナミックレンジ、もしくは、画像サイズの少なくとも１つを、互いに一致させて表示することが好ましい。より好ましくは、最低濃度及び最大濃度、ダイナミックレンジ、及び画像サイズの全てを一致させることである。この処理は、ディジタル医用画像データ処理部によって行われる。
【００９５】
本発明の医用画像表示装置は、モニタによる表示であっても、フィルムを観察するのと同様に患部の認識をしやすくしたり、医師の経験に頼っていたノウハウを共有化するために、診断を補助する表示モードを有しているとも言える。なお、本発明に係る医用画像の表示を、診断補助表示モードとして行う場合、モード切替スイッチによって、診断補助表示モードに切り替えられるようにしてもよいし、電源を入れると自動的に、診断補助表示モードになるようにしてもよい。もちろん、診断補助表示モードというモードがなく、単に、回転表示モードや、反転表示モード、複数表示モードなどのモードをそれぞれ有するようにしてもよい。
【００９６】
また、ディジタル医用画像データが、画像データに加えて、被診断者データ、撮影時期データ、撮影部位データ、撮影角度データの少なくとも１つを有していてもよい。この場合、ディジタル医用画像データ処理部は、画像データの処理を行うだけでなく、被診断者データ、撮影時期データ、撮影部位データ、または撮影角度データの少なくとも１つの処理を行うことが好ましい。処理とは、例えば、上述した、いずれかのデータに基づく検索や、画像データと、上述したいずれかのデータの関連づけなどである。また、この処理は、医用画像表示装置が行わず、医用診断システムの他の処理装置が行うようにしてもよい。
【００９７】
また、ディジタル医用画像データは、平面画像として得られた画像をディジタルデータ化したものであることが好ましい。特に、医用画像が、被診断者を放射線撮影装置によって撮影して得られた放射線撮影画像であることが好ましい。
【００９８】
また、医用画像表示装置は、画像表示部に表示された医用画像を見てを診断者が診断した結果を入力する診断結果入力部を有していてもよい。診断者が、診断結果入力部から診断結果を入力すると、ディジタル医用画像データ処理部が、診断結果の情報と、ディジタル医用画像データとを関連づけることが好ましい。診断結果入力部としては、キーボードや、ボタン、音声入力装置、スキャナなどを挙げることができる。
【００９９】
また、少なくとも、上述した医用画像表示装置と、放射線を被診断者に照射して医用画像を撮影し、ディジタル医用画像データを得る放射線画像撮影装置とから、医用診断システムが構成される。放射線画像撮影装置としては、被診断者を透過した放射線を直接電気エネルギーに変換したり、光エネルギーに変換した後に電気エネルギーに変換して、画像データを得る装置が好ましい。医用診断システムは、上記装置の他に、放射線画像撮影装置によって得られた複数のディジタル医用画像データを保存する保存装置を有しており、医用画像表示装置は、保存装置から読み出されたディジタル医用画像データに基づいて、医用画像を表示するようにしてもよい。また、医用診断システムが、ディジタル画像データに関連づけられている被診断者データや、診断結果のデータなどのデータ処理をする処理装置などを有していてもよい。保存装置や診断装置としては、サーバや、他のコンピュータを用いることができる。
【０１００】
また、医用画像診断システムは、放射線画像をフィルムや紙に記録するレーザイメージャを有していてもよい。放射線画像撮影装置と、医用画像表示装置とは、一体であってもよいし、ネットワークで接続された別体であってもよい。別体の場合は、有線で装置間でのデータのやりとりを行ってもよいし、無線で装置間でのデータのやりとりを行ってもよい。もちろん、医用画像表示装置や、放射線画像装置を複数有していてもよい。また、上述のシステムは、医用画像管理システムとして用いることも可能である。
【０１０１】
以下、図面を参照しつつ、より具体的な本発明の実施の形態例を詳細に説明する。
図１は本発明の一実施の形態例の医用画像表示装置とその周辺の装置とからなる医用画像管理システム（医用診断システム）についての構成を示す構成図である。
【０１０２】
まず、本発明の実施の形態例における医用画像表示装置を、医用画像管理システム（医用診断システム）の全体構成とともに図１の構成ブロック図を用いて説明を行なう。
【０１０３】
この図２において、１０はネットワークであり後述する各種装置を相互に接続するものである。２０は診察予約や検査予約等の受付けによる予約情報を発生したり、撮影された医用画像データを管理する制御手段を構成するホストコンピュータであり、医用画像データの読み出しと転送の制御も行うものである。
【０１０４】
３０は被検体について放射線画像の撮影や、撮影結果の読み取りを行って医用画像データを生成する撮影装置である。４０は放射線画像の撮影によって生成された医用画像データを保管するための画像保管サーバである。
【０１０５】
５０は本発明の医用画像表示装置を構成する画像端末（医用画像表示装置）であり、放射線画像の読影のために医用画像の表示を行うものである。なお、画像端末５０は、医用画像に対して各種処理を施す画像処理手段としての画像処理部５１と、画像処理の際の指示を入力する操作部５２と、ＣＲＴ表示部などに医用画像を表示する画像表示手段としての画像表示部５３とを備えて構成されている。
【０１０６】
なお、ここでは医用画像管理システム（医用診断システム）の構成を模式的に示したものであるため、撮影装置３０や画像端末５０が各部門（各診療科）ごとに存在している場合もある。また、ネットワーク１０を介さずに、撮影装置３０または読み取り装置（図示せず）と画像端末５０が直結されている場合もありうる。
【０１０７】
ここで、医用画像表示方法の手順及び医用画像表示装置の動作について、図２以降の説明図を参照して説明を行う。
ホストコンピュータ２０で作成された撮影予約情報に基づいて撮影装置３０で放射線画像の撮影がなされ、被検体に関する医用画像データが生成される。この医用画像データはホストコンピュータ２０の制御によって画像保管サーバ４０に保管される。
【０１０８】
ここで、画像端末５０の操作部５２より画像表示の要求がだされると、ホストコンピュータ２０は画像保管サーバ４０から該当する医用画像データを画像端末５０に転送する。
【０１０９】
そして、画像端末５０での医用画像の表示に関し、医師が回転表示の要求を操作部５２から指示した場合、画像処理部５１は、医用画像の画像平面内に含まれる回転軸もしくは画像平面外にあって前記画像平面に平行な回転軸の周りに前記医用画像を回転させ、回転前の画像平面に画像投影させて得た斜像を表示させための画像処理を行う。
【０１１０】
図２は画像平面内のＸ軸とＹ軸とを模式的に示した説明図である。この図２のＸ軸もしくはＹ軸のいずれか一方、または、Ｘ軸とＹ軸との両方を回転軸として、画像を回転させるような３次元画像処理を画像処理部５１が実行する。なお、いずれの軸を回転軸とするかは、操作部５２からの指示に従う。
【０１１１】
図３は画像処理前の医用画像を中心に示しており、画像処理前の画像の左右にはＸ軸を回転中心として回転させた状態の画像を示し、画像処理前の画像の上下にはＹ軸を回転中心として回転させた状態の画像を示し、画像処理前の画像の斜めにはＸ軸とＹ軸の両方を回転中心として回転させた状態の画像を示している。
【０１１２】
なお、ここでは医用画像の中心をＸ軸とＹ軸とが通過しているものを例示しているが、Ｘ軸とＹ軸との位置が医用画像の外であれば回転させた後の遠近感が異なったものになる。
【０１１３】
そして、画像処理部５１での画像処理により生成された画像が画像表示部５３にて表示される。
この場合、以下のような表示の手法がある。
【０１１４】
▲１▼斜像を作成するための回転を段階的もしくは無段階に連続して実行して回転状態の異なる複数の画像を生成し、生成された最新の画像を表示する。この場合、Ｘ軸を回転軸として回転を往復させるようにして（図４（ａ）参照）、または、Ｙ軸を回転軸として回転を往復させるようにして（図４（ｃ）参照）刻々と変化する回転画像を表示することが可能である。このような表示では、医師がフィルムを手持ちして回転させる状態と近くなり、フィルムによって医用画像を観察していたのに近い状態でディスプレイ上に表示することが可能になる。なお、正面を経由せず、一方に傾いた状態が変化するような斜像を表示することも可能である（図４（ｂ），（ｄ）参照）。
【０１１５】
▲２▼また、以上の▲１▼で示した図４（ａ）〜図４（ｄ）のいずれか一方だけでなく、画像表示部５３の画面の片側に刻々と変化する図４（ａ）を表示し、画像表示部５３の画面の反対側に刻々と変化する図４（ｂ）を表示するような表示も可能である。このような表示でも、医師がフィルムを手持ちして回転させる状態と近くなり、フィルムによって医用画像を観察していたのに近い状態でディスプレイ上に表示することが可能になる。また、生成された異なる回転軸に基づく複数の回転状態の異なる画像を同一表示位置にて切り換え表示しているため、上記▲１▼よりもさらに読影がしやすい状態になる。
【０１１６】
▲３▼また、以上の▲１▼や、以上の▲２▼の少なくとも一方の表示において、操作部５２からの指示により回転を停止させて傾いた状態の静止画の表示にすることも可能である。また、一旦静止画としたものを再び回転の動画状態に戻すことも可能である。また、ある軸の回転を一旦止め、別な軸で回転させるようなことも可能である。
【０１１７】
はっきりとは判らない画像を比較しながら診断する際に、以上のように医用画像を回転させることで、病変とおぼしき部分の周辺で表示される画像の見え方が変化する。この回転状態を連続的に変化させることで、発見しようとする病変部などが見つけやすくなるとも考えられる。すなわち、フィルムによって医用画像を観察していたのに近い状態でディスプレイ上に表示することが可能になる。
【０１１８】
また、以上のように遠近感の出し方によって縮小の割合が異なり、その結果として相対的な解像度が変化するため、遠近感の出し方を操作部５２から指示できることが望ましい。
【０１１９】
また、以上の説明の画像処理として回転だけではなく、回転前の医用画像や回転後の医用画像を一定方向に所定の周期で振動（往復動）させて表示することも可能である。この場合には、振動の方向，振動の振幅，振動の周期などを操作部５２から医師が入力する。これにより、画像処理部５１が医用画像が振動状態で表示されるように画像処理を実行する。このように、画像を所定の周期で往復動させつつ表示しているため、視覚の残像効果によって各種の状況（病変部など）を把握しやすくなり、フィルムによって医用画像を観察していたのに近い状態でディスプレイ上に表示することが可能になる。
【０１２０】
図５は本発明の他の実施の形態例の表示の様子を示す説明図である。画像表示部５３のＣＲＴ表示部や液晶表示部において、全画面にわたって均一な表示が常に行われているとは限らない。例えば、ＣＲＴ表示部分の個体差によって左右で輝度やコントラストやガンマ特性が異なっていることがある。また、経時変化によって同様な問題が発生することもある。そこで、画像処理部５１は処理中の医用画像に関して、正転画像（図５（ａ）上段）と、左右が反転した反転画像（図５（ａ）下段）とを一定周期で交互に生成する。そして、このような正転画像と反転画像とを交互に画像表示部５３に表示することで、表示画面の左右いずれかの側で表示特性に不具合があっても、正転画像と反転画像とを交互に見ることで違いが発見しやすくなる。すなわち、表示画面の表示が原因で病変部を見逃すようなことがなくなる。
【０１２１】
なお、同様に、同一の医用画像を画像表示部５３の左右に並べて表示することも可能である。このようにすることでも、表示画面の左右いずれかの側で表示特性に不具合があっても、正転画像と反転画像とを交互に見ることで違いが発見しやすくなる。すなわち、表示画面の表示が原因で病変部を見逃すようなことがなくなる。また、この場合に、左右同時表示，左右交互表示，左右への移動表示などの変形が可能である。
【０１２２】
また、以上の場合に、画像表示部５３の表示画面のＭＴＦ特性（レスポンス関数）を調べておき、特性が劣化する空間周波数が存在している場合には、画像処理部５１において特定の周波数を強調するといったことも可能である。また、逆に特性が突出した周波数を減衰させることも可能である。これにより、画像表示部５３のＭＴＦ特性にかかわらず、ほぼ均一な特性の表示が可能になるため、病変部などを見逃す可能性が小さくなる。したがって、フィルムを使用していた場合に近い表示が可能になる。
【０１２３】
また、撮影装置３０で使用されたフィルムの濃度特性と画像表示部５３の表示画面の濃度特性とを調べておいて、両者の濃度特性の違いを吸収するような画像処理を画像処理部５１が実行することも望ましい。このような濃度特性の違いを吸収する画像処理によっても、フィルムを使用していた場合に近い表示が可能になる。
【０１２４】
また、以上の場合に、回転表示、反転表示、左右表示などの表示手法、またはこれらの表示手法のパラメータについて、予め利用者毎の表示パターンを操作部５２から登録しておくことが可能である。このようにすることで、操作部５２から利用者のコードや登録番号などを入力するだけで、回転表示、反転表示、左右表示など所望の表示を瞬時に行うことが可能になる。
【０１２５】
また、利用者毎の表示パターンと同様に、診断目的、診断部位などに応じて予め適した表示パターンを登録しておいて、画像端末５０の使用時に瞬時に適した表示手法を呼び出すことも可能である。このように診断目的や部位ごとの表示パターンを用いることで、その読影に熟練していない利用者であっても、熟練した利用者と同様の読影をすることが可能になる。
【０１２６】
なお、以上の各実施の形態例において、複数の異なる医用画像を画像表示部５３の一画面に表示する場合には、図６のように水平方向に並べて表示することが望ましい。このように水平方向の表示とすると、多数の画像を視覚的に把握しやすくなり、フィルムによって医用画像を観察していたのに近い状態でディスプレイ上に表示することが可能になる。このような水平方向の表示の場合、水平方向で静止画状態で表示してもよいし、滑らかに移動させるようにしてもよい。
【０１２７】
また、ある診断目的の医用画像を画像表示部５３に表示する場合、画像処理部５１では該当する医用画像を画像保管サーバ４０から読み出すと共に、画像保管サーバ４０内に予め登録されている比較用画像を読み出し、図７に示すように比較用画像を所望の医用画像の隣に縮小表示することが可能である。この場合、比較用画像として、その診断目的において診断が確定した場合の初期から末期までの複数の時系列の画像（すなわち、同種の過去の画像）が望ましい。このような比較用画像が同じ画面に表示されていれば、その読影に熟練していない利用者であっても、熟練した利用者と同様の読影をすることが可能になる。
【０１２８】
また、以上に記載した実施の形態例の変形例として、以下のようなものが考えられる。
画像を所定の周期で表示／非表示の切り換えまたは表示輝度の昇降を切り換えつつ表示することで、視覚の残像効果によって各種の状況を把握しやすくなり、フィルムによって医用画像を観察していたのに近い状態でディスプレイ上に表示することが可能になる。
【０１２９】
表示すべき医用画像と同種の過去の医用画像を併せて表示することで、各種の状況を把握しやすくなり、フィルムによって多数の医用画像を並べて観察していたのに近い状態でディスプレイ上に表示することが可能になる。
【０１３０】
表示すべき医用画像を、過去の医用画像の濃度やダイナミックレンジに合わせて表示するようことで、各種の状況を把握しやすくなり、フィルムによって多数の医用画像を並べて観察していたのに近い状態でディスプレイ上に表示することが可能になる。
【０１３１】
表示すべき医用画像を、過去の医用画像のサイズに合わせて表示することで、各種の状況を把握しやすくなり、フィルムによって多数の医用画像を並べて観察していたのに近い状態でディスプレイ上に表示することが可能になる。
【０１３２】
表示すべき医用画像の正像と反転像とを同一位置で交互に表示することで、表示画面の表示が原因で病変部を見逃すようなことがなくなり、各種の状況を把握しやすくなり、フィルムによって多数の医用画像を並べて観察していたのに近い状態でディスプレイ上に表示することが可能になる。
【０１３３】
表示すべき医用画像の正像と反転像とを上下・左右に表示することで、表示画面の表示が原因で病変部を見逃すようなことがなくなり、各種の状況を把握しやすくなり、フィルムによって多数の医用画像を並べて観察していたのに近い状態でディスプレイ上に表示することが可能になる。
【０１３４】
なお、以上の説明ではネットワーク１０を介した医用画像管理システム（医用診断システム）における動作の例を示したが、ネットワーク１０を介さずに撮影装置３０と画像端末５０が直結されている場合や、撮像装置３０と画像保管サーバ４０と画像端末５０とが直結されている場合であっても、以上説明したと同様の処理を実行して同様の効果を得ることができる。
【０１３５】
【発明の効果】
以上詳細に説明したように、本発明は、保管場所を非常に少なくできる、画像の劣化を防止できるなどの、医療用放射線画像をディジタルデータとして扱うメリットを残しつつ、しかも、モニタによる表示であっても、フィルムを観察するのと同様に患部の認識をしやすい、医用画像表示装置および医用診断システムならびに医用画像表示方法を提供可能とする。
【０１３６】
さらに、従来、医師の経験に頼っていたノウハウを共有化することを可能とし、医師の経験によらず、より均一な高精度の診察を行うことを可能とする医用画像表示装置および医用診断システムならびに医用画像表示方法を提供することを可能とする。
【図面の簡単な説明】
【図１】本発明の医用画像表示装置について周辺装置と共に電気的構成を示す構成図である。
【図２】本発明の医用画像表示に必要な画像処理の様子を示す説明図である。
【図３】本発明の医用画像表示の様子を示す説明図である。
【図４】本発明の医用画像表示の様子を示す説明図である。
【図５】本発明の医用画像表示の様子を示す説明図である。
【図６】本発明の医用画像表示の様子を示す説明図である。
【図７】本発明の医用画像表示の様子を示す説明図である。
【符号の説明】
１０  ネットワーク
２０  ホストコンピュータ
３０  撮影装置
４０  画像保管サーバ
５０  画像端末
５１  画像処理部
５２  操作部
５３  画像表示部
【図１】
0003951592.tif 000002
【図２】
0003951592.tif 000003
【図３】
0003951592.tif 000004
【図４】
0003951592.tif 000005
【図５】
0003951592.tif 000006
【図６】
0003951592.tif 000007
【図７】
0003951592.tif 000008